(57)【要約】【課題】安価かつ小型で、軽量な接眼モニタ装置とする。【解決手段】画像を表示する表示手段４１と、接眼レンズ手段４２と、接眼部４５と、ビデオカメラ本体の後方より接眼部を介して画像を使用者に観察させる通常撮影位置と、該通常撮影位置から表示手段が具備される端面側を中心としてビデオカメラ本体に対して前記接眼部を上方に回動した、ビデオカメラ本体の上方より画像を観察させるローアングル撮影位置との間で回動可能にする支持するヒンジ手段４４を有し、接眼モニタ装置４は、通常撮影位置時において、光軸５０が撮像手段２の光軸５１に対して所定の角度Ｘ傾くようにビデオカメラ本体に対して取り付けられる。【選択図】        図１
2004215001.tif 000002
【特許請求の範囲】
【請求項１】
ビデオカメラ本体側に配置される撮像手段により撮像された画像を表示する表示手段と、
前記表示手段にて表示された前記画像を投影する接眼レンズ手段と、
前記接眼レンズ手段を介して投影される前記画像を使用者に観察させるための接眼部と、
前記ビデオカメラ本体の後方より前記接眼部を介して前記画像を使用者に観察させる通常撮影位置と、該通常撮影位置から前記表示手段が具備される端面側を中心として前記ビデオカメラ本体に対して前記接眼部を上方に回動した、前記ビデオカメラ本体の上方より前記画像を観察させるローアングル撮影位置との間で回動可能にする支持するヒンジ手段とを有する接眼モニタ装置において、
前記通常撮影位置時において、前記接眼レンズ手段の光軸が前記撮像手段の光軸に対して所定の角度傾くように前記ビデオカメラ本体に対して取り付けられることを特徴とする接眼モニタ装置。
【発明の詳細な説明】
【０００１】
【発明の属する技術分野】
本発明は、撮像手段により撮像された画像を観察するための接眼モニタ装置の改良に関するものである。
【０００２】
【従来の技術】
ビデオカメラとして、接眼モニタ手段（装置）を備えるものがある。このような接眼モニタ手段を備えるビデオカメラについて、図３及び図４を参照しながら具体的に説明する。
【０００３】
図３は従来のビデオカメラの主要部の構成を示す図、図４は図３のビデオカメラの電気的回路構成を示すブロック図である。
【０００４】
ビデオカメラは、図３に示すように、レンズユニット１０１、撮像部１０２、レコーダ部１０３、接眼モニタ部１０４を備える。また、後面にはバッテリー１０５を備え、図示されていないが、回路基板、パネルタイプの映像モニタ、操作キーなどが設けられている。
【０００５】
前記接眼モニタ部１０４には、撮影画像を表示するＬＣＤからなるモニタ１１１と、接眼レンズ１１２が組み込まれている。接眼レンズ１１２の光軸は、図３に示すように、撮影者がビデオカメラの後方から覗く通常の撮影姿勢（通常撮影位置）の場合、レンズユニット１０１の光軸に略平行になるよう配置される。また、接眼モニタ部１０４には、回転軸１１３を中心に反時計回りに略９０°回転可能なヒンジ部１１４を備えており、該接眼モニタ部１０４を反時計回りに略９０°回転させることにより、撮影者がビデオカメラの上方から覗くことのできる所謂、ローアングル撮影姿勢（ローアングル撮影位置）を取ることが出来る。接眼モニタ部１０４の後方には、柔らかい材質で作られた接眼部（アイピース）１１５ａが設けられ、撮影者が目を近づけ易くしている。
【０００６】
次に、ビデオカメラの電気的回路構成の概略を説明する。
【０００７】
ビデオカメラは、図４に示すように、レンズ群２０１、撮像素子２０２、カメラ信号処理部２０３、モニタ２０４、レコーダ２０５、制御用マイクロコンピュータ（以下、制御マイコンという）２０６、操作パネル２０７を備える。
【０００８】
レンズ群２０１を介して被写体像が撮像素子２０２の受光面上に結像されると、撮像素子２０２にて被写体像に応じた電気信号が出力され、次段のカメラ信号処理部２０３に入力される。そして、カメラ信号処理部２０３にてこの電気信号が所定形態の映像信号に変換され、レコーダ２０５、モニタ２０４にそれぞれ入力される。前記レコーダ２０５は、入力された映像信号を磁気テープまたはメモリなどからなる記録媒体へ記録し、前記モニタ２０４は、入力された映像信号を可視像として表示する。
【０００９】
撮影者はモニタ２０４により撮影する像を確認しつつ、操作パネル２０７を操作する。この操作パネル２０７の操作内容を示す信号は、制御マイコン２０６により具体的な処理内容を示すコマンドにブレークダウンされた後、装置各部に供給される。前記レコーダ２０５へは、少なくとも記録開始、記録終了の指示が行われ、これを受けてレコーダ２０５は前述の映像信号の記録を行う。なお、図４中のレコーダ２０５およびモニタ２０４は、図３のレコーダ部１０３、接眼モニタ部１０４にそれぞれ含まれる。
【００１０】
【発明が解決しようとする課題】
上述した従来のビデオカメラにおいては、以下のような課題を有していた。つまり、接眼レンズ１１２の光軸が、通常撮影位置において、レンズユニット１０１の光軸に略平行に配置されているため、後面に小型のバッテリー１０５ａが配置された場合には問題ないが、大型のバッテリー１０５ｂが装着された場合、該バッテリー１０５ｂの後面が、図３から想像できるように、後方から覗く撮影者の鼻や頬にぶつかってしまう。この点に鑑み、従来のビデオカメラの接眼モニタ部１０４には、接眼部１１５ａを１１５ｂの位置まで移動可能とする伸縮機構や、回転軸１１３とともに接眼モニタ部１０４の全体を後方にスライド可能なヒンジ部が設けられていたが、上記伸縮機構やスライド可能なヒンジ部は機構が複雑となり、高価なものとなっていた。更には、軽量化や小型化を阻害する原因にもなっていた。
【００１１】
（発明の目的）
本発明の目的は、安価かつ小型で、軽量な接眼モニタ装置を提供しようとするものである。
【００１２】
【課題を解決するための手段】
上記目的を達成するために、本発明は、ビデオカメラ本体側に配置される撮像手段により撮像された画像を表示する表示手段と、前記表示手段にて表示された前記画像を投影する接眼レンズ手段と、前記接眼レンズ手段を介して投影される前記画像を使用者に観察させるための接眼部と、前記ビデオカメラ本体の後方より前記接眼部を介して前記画像を使用者に観察させる通常撮影位置と、該通常撮影位置から前記表示手段が具備される端面側を中心として前記ビデオカメラ本体に対して前記接眼部を上方に回動した、前記ビデオカメラ本体の上方より前記画像を観察させるローアングル撮影位置との間で回動可能にする支持するヒンジ手段とを有する接眼モニタ装置において、前記通常撮影位置時において、前記接眼レンズ手段の光軸が前記撮像手段の光軸に対して所定の角度傾くように前記ビデオカメラ本体に対して取り付けられる接眼モニタ装置とするものである。
【００１３】
【発明の実施の形態】
以下、本発明を図示の実施の形態に基づいて詳細に説明する。
【００１４】
図１は本発明の実施の一形態に係るビデオカメラの主要部を示す構成図であり、撮影者がビデオカメラの後方から覗いた、通常の撮影姿勢（通常撮影位置）の場合を示している。
【００１５】
ビデオカメラは、図１に示すように、撮影レンズ１、該撮影レンズ１によって結像された光学像を映像信号に変換する撮像素子２、映像信号を記録媒体に記録し、再生するレコーダ部３、接眼モニタ部４、および、バッテリー５を備える。前記撮影レンズ１および接眼モニタ部４は、レコーダ部３の上方に配置されており、接眼モニタ部４はその光軸５０が撮影レンズ１の光軸５１に対して角度Ｘ分傾くように配置されている。
【００１６】
前記接眼モニタ部４には、撮影画像を表示するＬＣＤからなるモニタ４１と、接眼レンズ４２が組み込まれている。また、接眼モニタ部４には、撮影レンズ１の光軸５１と直交する方向に平行な回転軸４３を中心に反時計回りに略８０°回転可能にするヒンジ部４４を備えており、該接眼モニタ部４を反時計回りに略８０°回転させることにより、撮影者がビデオカメラの上方から覗くことのできる所謂、ローアングル撮影姿勢（ローアングル撮影位置）を取ることが出来る。また、接眼モニタ部４の後方には、柔らかい材質で作られた接眼部４５が設けられ、撮影者が目を近づけ易くしている。
【００１７】
上述したように、接眼モニタ部４の光軸５０が撮影レンズ１の光軸５１に対して角度Ｘ分だけ反時計回りに傾くように配置されているため、ビデオカメラの後面に装着されたバッテリー５が小型バッテリー５ａの場合は勿論、大型のバッテリー５ｂの場合でも、接眼モニタ部４を後方にスライドさせることなく、撮影者は後方より撮影映像（画像）を覗くことができる。
【００１８】
この実施の形態では、上記角度Ｘを１０°程度に設定しているが、この角度Ｘの値はこれに限定されるものではなく、撮影者が通常の撮影姿勢で後方から覗き易い範囲であれば良く、実験によれば、５°以上４５°以下の範囲内に収めることが好ましい。
【００１９】
次に、接眼モニタ部４の内部構造について、図２を用いて説明する。
図２は、図１に示したビデオカメラに具備される接眼モニタ部４の内部構造を示す断面図であり、同図において、４及び４１〜４５，５０は図１で説明した構成要素であるので、ここではその詳細は省略する。
【００２０】
前記接眼モニタ部４の内部には、内部フレーム４７が組み込まれており、この内部フレーム４７に対して、接眼モニタ部４の主要構成部が取り付けられる。
【００２１】
ここで、内部フレーム４７の中心軸（光軸５０と一致する）が接眼モニタ部４の底面ライン４ａに対して、図４の右側（接眼モニタ部４の後面側）が上方に持ち上がり、前記角度Ｘになるよう配置されている。この内部フレーム４７の配置角度によって、接眼モニタ部４の光軸５０の傾き角度が決まる。
【００２２】
前記内部フレーム４７に取り付けられたモニタ４１の上方から出たフレキシブル配線部４１ａは、モニタ基板４６上に実装されたコネクタ４６ａに接続される。また、モニタ基板４６上には、前記モニタ４１を左側より照明するバックライト４６ｂが実装されている。
【００２３】
前記モニタ４１に表示された撮影映像は、バックライト４６ｂの照明による透過光となり、接眼レンズ４２によって拡大されて投影され、撮影者の眼に届く。このとき、撮影者の眼の視度に合わせて観察し易いように視度調整を行う必要があり、接眼モニタ部４の後方の下部に設けられた視度調整ツマミ４９を撮影者が紙面垂直方向に移動させることにより、前記接眼レンズ４２を移動可能に保持するレンズホルダ４８の突起部と係合した、該視度調整ツマミ４９の溝部に形成されたカム面が接眼レンズ４２を光軸方向に移動させ、視度調整を行うことができる。
【００２４】
この視度調整の為の機構は、頻繁に使用しない機構であることから通常触りづらい位置にある必要性と、ビデオカメラ全体の薄型化が求められる現状、接眼レンズ４２の左右の位置に配置した場合の接眼モニタ部４の厚みの増大を避ける必要性から、上記のように接眼レンズ４２の後方の下部に配置されるのが通常である。この構成の場合、接眼モニタ部４の高さは、接眼レンズ４２の大きさと視度調整の機構部の大きさで決まる。また、前記モニタ４１は上方からフレキシブル配線部４１ａが出ており、下側に比べ、上側に大きなスペースを必要とする。
【００２５】
上記構成の接眼モニタ部４、さらに詳しくはその主要構成部を具備する内部フレーム４７の形状であれば、光軸５０が、後方に行くにつれて持ち上がるように角度Ｘを持たせてあるため、上側にスペースを必要とする前方では低い位置に、下側にスペースを必要とする後方では高い位置となり、内部の空間を有効に活用した小型の接眼モニタ部を可能とする。
【００２６】
さらに、接眼モニタ部４の傾きをもう少し大きめ（＞角度Ｘ）に設定した場合、小さな回転角度により、ローアングルポジションに移動することができ、ヒンジ部４４をより小型に作ることができる。
【００２７】
また、図２のように、接眼モニタ部４の後面の面積を前面側の面積より大きくすることにより接眼開口部を従来よりも広く取れるため、内部フレーム４７も組み込み易くなるという利点もある。
【００２８】
上記の実施の形態によれば、接眼モニタ部４の光軸５０を撮影レンズ１の光軸５１に対して角度Ｘ分だけ反時計回りに（モニタ４１が具備される端面側（回転軸４３）を中心にして）傾くように配置しているため、大型のバッテリー５ｂが装着されたとしても、接眼モニタ部４をスライドさせることなく後方より覗くことができ、ヒンジ部４４の構成を簡単にできる、つまり接眼部を大型のバッテリーに対応した位置まで移動可能とする伸縮機構や回転軸４３とともに接眼モニタ部４の全体を後方にスライド可能とする、複雑で高価なヒンジ部を設ける必要が無くなるため、安価かつ小型で、軽量な接眼モニタ部、更にはビデオカメラとすることが出来る。
【００２９】
また、接眼モニタ部４の内部の空間を有効に活用した構成を提供できるため、装置のより一層の小型化を図ることができる。
【００３０】
最後に、本発明に係るビデオカメラの実施態様について、以下に列挙する。
【００３１】
（実施態様１）  ビデオカメラ本体側に配置される撮像手段と、該撮像手段により撮像された画像を表示する表示部、該表示部にて表示された前記画像を投影する接眼レンズ部および該接眼レンズ部を介して投影される前記画像を使用者に観察させるための接眼部とを具備する接眼モニタ手段と、前記ビデオカメラ本体の後方より前記接眼部を介して前記画像を使用者に観察させる通常撮影位置と、該通常撮影位置から前記表示部が具備される端面側を中心として前記ビデオカメラ本体に対して前記接眼部を上方に回転させて前記ビデオカメラ本体の上方より前記画像を観察させるローアングル撮影位置との間で、前記接眼モニタ手段を回動可能にするヒンジ手段とを有するビデオカメラにおいて、前記接眼モニタ手段は、前記通常撮影位置時において、前記接眼レンズ手段の光軸が前記撮像手段の光軸に対して所定の角度傾くように、前記ヒンジ手段を介して前記ビデオカメラ本体に対して取り付けられていることを特徴とするビデオカメラ。
【００３２】
（実施態様２）  撮像手段と、接眼モニタ手段と、該接眼モニタ手段が前記撮像手段の光軸に対して直交する方向と平行な軸を中心に回転可能なヒンジ手段とを有し、前記撮像手段により撮像された画像を後方より覗ける、通常撮影位置と上方より覗けるローアングル撮影位置を取り得るビデオカメラにおいて、前記接眼モニタ手段は、前記撮像手段により撮像された画像を表示するための表示手段と、前記通常撮影位置時に、光軸が前記撮像手段の光軸に対して所定の角度を成すように配置された接眼レンズ部を有することを特徴とするビデオカメラ。
【００３３】
（実施態様３）  前記所定の角度は、５°以上４５°以下の範囲内に設定されていることを特徴とする実施態様１または２に記載のビデオカメラ。
【００３４】
（実施態様４）  前記接眼モニタ手段は、前記所定の角度に合わせて後方に行くにつれ、持ち上がった形状であり、前記接眼モニタ手段後面の面積が前面に対し大きく設定されていることを特徴とする実施態様１乃至３のいずれかに記載のビデオカメラ。
【００３５】
（実施態様５）  前記接眼モニタ手段の後方の略下方に、視度調節手段が設けることを特徴とする実施態様１乃至４のいずれかに記載のビデオカメラ。
【００３６】
【発明の効果】
以上説明したように、本発明によれば、安価かつ小型で、軽量な接眼モニタ装置を提供できるものである。
【図面の簡単な説明】
【図１】本発明の実施の一形態に係るビデオカメラの主要部構成を示す図である。
【図２】図１に示したビデオカメラの接眼モニタ部の内部構造を示す断面図である。
【図３】従来のビデオカメラの主要部構成を示す図である。
【図４】図４のビデオカメラの電気的回路構成を示す図である。
【符号の説明】
１            撮影レンズ
２            撮像素子
３            レコーダ部
４            接眼モニタ部
５            バッテリー
４１          モニタ
４２          接眼レンズ
４３          回転軸
４４          ヒンジ部
４５          接眼部
４６          モニタ基板
４７          内部フレーム
４８          レンズホルダ
４９          視度調整ツマミ
【図１】
2004215001.tif 000003
【図２】
2004215001.tif 000004
【図３】
2004215001.tif 000005
【図４】
2004215001.tif 000006